(57)【要約】【課題】  情報処理装置との間の近距離無線通信によって得られた情報に基づいて認証用画像を表示することができ、しかも、その認証用画像の表示状態を、電源を入れることができない状況下においても維持可能な移動体通信端末を提供する。【解決手段】  本移動体通信端末２０は近距離無線通信手段２１２と無給電画像表示手段（表示パネル）２１５と決済処理手段２１３と表示制御手段２１４とを備える。近距離無線通信手段２１２は、近距離無線通信により外部の情報処理装置（非接触ＩＣ装置）１５との間で情報を送受信する。無給電画像表示手段２１５は、画像の表示状態を無給電状態でも維持することができる。決済処理手段２１３は、情報処理装置１５との間で送受信された情報に基づいて決済処理を行う。表示制御手段２１４は、決済処理が完了している旨を示す機械読み取り可能な認証用画像を表示するように無給電画像表示手段２１５を制御する。【選択図】  図２
2006211223.tif 000002
【特許請求の範囲】
【請求項１】
移動体通信ネットワークを介して通信可能な移動体通信端末であって、
近距離無線通信により外部の情報処理装置との間で情報を送受信する近距離無線通信手段と、
画像の表示状態を無給電状態でも維持可能な無給電画像表示手段と、
該情報処理装置との間で送受信された情報に基づいて決済処理を行う決済処理手段と、
該決済処理が完了している旨を示す機械読み取り可能な認証用画像を表示するように該無給電画像表示手段を制御する表示制御手段とを備えたことを特徴とする移動体通信端末。
【請求項２】
請求項１の移動体通信端末において、
上記表示制御手段は、所定の表示制御指令に基づいて、上記無給電画像表示手段に表示されている上記認証用画像を変更するように制御することを特徴とする移動体通信端末。
【請求項３】
請求項１又は２の移動体通信端末において、
上記表示制御手段は、所定の表示制御指令に基づいて、上記無給電画像表示手段に表示されている上記認証用画像を消去するように制御することを特徴とする移動体通信端末。
【請求項４】
請求項２又は３の移動体通信端末において、
上記表示制御指令は、移動体通信ネットワークを介して受信した受信情報に基づいて生成されることを特徴とする移動体通信端末。
【請求項５】
請求項２又は３の移動体通信端末において、
アプリケーションプログラムの実行を管理するアプリケーションプログラム実行管理手段を備え、
上記表示制御指令は、該アプリケーションプログラム実行管理手段で実行されるアプリケーションプログラムに基づいて生成されることを特徴とする移動体通信端末。
【請求項６】
請求項２又は３の移動体通信端末において、
計時手段を備え、
上記表示制御指令は、該計時手段から出力される時刻情報に基づいて生成されることを特徴とする移動体通信端末。
【請求項７】
請求項１乃至６のいずれかの移動体通信端末において、
上記決済処理手段は、上記情報処理装置との間で送受信された情報に基づいて移動体通信ネットワークを介して課金サーバに課金要求を送信し、該移動体通信ネットワークを介して該課金サーバから課金が完了した旨を示す課金応答を受信し、
上記表示制御手段は、該課金応答に基づいて上記認証用画像を表示するように制御することを特徴とする移動体通信端末。
【請求項８】
請求項１乃至６のいずれかの移動体通信端末において、
当該移動体通信端末の利用者が使用可能な電子マネーの情報を記憶する情報記憶手段を備え、
上記決済処理手段は、上記情報処理装置との間で送受信された情報と該情報記憶手段に記憶されている該電子マネーの情報とに基づいて決済処理を行い、
上記表示制御手段は、該決済処理が完了した後に上記認証用画像を表示するように制御することを特徴とする移動体通信端末。
【請求項９】
請求項１乃至８のいずれかの移動体通信端末において、
上記表示制御手段は、上記認証用画像として、上記決済処理が完了している旨を示す内容を人間が視認可能な画像を表示するように制御することを特徴とする移動体通信端末。
【発明の詳細な説明】
【技術分野】
【０００１】
本発明は、携帯電話機等の移動体通信端末に関するものである。
【背景技術】
【０００２】
従来、音楽演奏等の各種イベントや飛行機による輸送等のサービスの提供を受ける際に、通信ネットワーク上のサーバに対してサービス利用を申し込み、そのサービス利用の申し込みが受け付けられた旨を示す画像を上記サーバから受信してディスプレイに表示する携帯電話機が知られている（例えば、特許文献１、特許文献２参照）。この携帯電話機のディスプレイに表示された認証用画像を機械で読み取ったり係員が目視で確認したりすることにより、利用者の認証が行われ、入場許可やチケット発券の処理が行われる。
【０００３】
また、従来、電磁波を用いた近距離無線通信により外部の情報処理装置（リーダライタ）との間で情報の送受信可能な非接触ＩＣカードを備えた携帯電話機が知られている（例えば、特許文献３参照）。この携帯電話機の非接触ＩＣカードには電子マネー情報が記憶されており、携帯電話機を情報処理装置（リーダライタ）にかざして情報処理装置と通信することにより、購入した商品やサービス等の代金を決済することができる。
【０００４】
【特許文献１】特開２００２−１０９５７４号公報
【特許文献２】特開２００２−１４９８８７号公報
【特許文献３】特開２００３−０８５４６６号公報
【発明の開示】
【発明が解決しようとする課題】
【０００５】
上記特許文献３に記載の携帯電話機にように非接触ＩＣカードを備えた移動体通信端末では、上記情報処理装置（リーダライタ）との近距離無線通信により、商品やサービスの購入に対する決済処理を簡易に行うことができる。そして、このような決済処理が完了した後、決済処理が完了している旨を示す認証用画像を、上記特許文献１、２と同様に液晶ディスプレイに表示することが考えられる。
ところが、上記移動体通信端末では電源として二次電池が用いられているため、電池の充電を忘れてしまうと、電池が放電しきって移動体通信端末の電源を入れることができなくなる。また、コンサート会場、飛行機内、一部の電車内、病院などの特定の場所では、移動体通信端末の電源を切ることが求められる場合がある。このように移動体通信端末の電源を入れることができないと、上記決済処理が完了している旨を示す認証用画像を液晶ディスプレイに表示して提示することができない。そのため、上記決済処理が済んでいるサービスの提供を受けることができなかったり、上記決済処理が済んでいる商品の受け取りや商品購入に対する福引き等の特典を受けることができなかったりするという問題点があった。例えば、移動体通信端末の利用者がコンサート会場等に入場できなかったり、申し込んだチケットの発券ができなくなったりする。
【０００６】
本発明は、以上の背景に鑑みなされたものであり、その目的とするところは、情報処理装置との間の近距離無線通信によって得られた情報に基づいて認証用画像を表示することができ、しかも、その認証用画像の表示状態を、電源を入れることができない状況下においても維持可能な移動体通信端末を提供することである。
【課題を解決するための手段】
【０００７】
上記目的を達成するために、請求項１の発明は、移動体通信ネットワークを介して通信可能な移動体通信端末であって、近距離無線通信により外部の情報処理装置との間で情報を送受信する近距離無線通信手段と、画像の表示状態を無給電状態でも維持可能な無給電画像表示手段と、該情報処理装置との間で送受信された情報に基づいて決済処理を行う決済処理手段と、該決済処理が完了している旨を示す機械読み取り可能な認証用画像を表示するように該無給電画像表示手段を制御する表示制御手段とを備えたことを特徴とするものである。
ここで、上記近距離無線通信手段は、非接触ＩＣカード、非接触ＩＣモジュール等の非接触ＩＣ装置を用いて構成するのが好ましい。また、この非接触ＩＣ装置は、電池を組み込んだり電源を接続したりすることなく動作させることができるように、上記情報処理装置が発した近距離無線通信用の電磁波から電力を取得可能に構成するのが好ましい。
また、上記無給電画像表示手段に表示する認証用画像としては、機械による認識処理を容易にするとともに、その画像に含まれる情報を人間が容易に把握できないようにしてセキュリティを高めるべく、バーコードやＱＲコード（登録商標）等のコード画像を用いるのが好ましい。
【０００８】
また、請求項２の発明は、請求項１の移動体通信端末において、上記表示制御手段は、所定の表示制御指令に基づいて、上記無給電画像表示手段に表示されている上記認証用画像を変更するように制御することを特徴とするものである。
また、請求項３の発明は、請求項１又は２の移動体通信端末において、上記表示制御手段は、所定の表示制御指令に基づいて、上記無給電画像表示手段に表示されている上記認証用画像を消去するように制御することを特徴とするものである。
また、請求項４の発明は、請求項２又は３の移動体通信端末において、上記表示制御指令は、移動体通信ネットワークを介して受信した受信情報に基づいて生成されることを特徴とするものである。
また、請求項５の発明は、請求項２又は３の移動体通信端末において、アプリケーションプログラムの実行を管理するアプリケーションプログラム実行管理手段を備え、上記表示制御指令は、該アプリケーションプログラム実行管理手段で実行されるアプリケーションプログラムに基づいて生成されることを特徴とするものである。
また、請求項６の発明は、請求項２又は３の移動体通信端末において、計時手段を備え、上記表示制御指令は、該計時手段から出力される時刻情報に基づいて生成されることを特徴とするものである。
また、請求項７の発明は、請求項１乃至６のいずれかの移動体通信端末において、上記決済処理手段は、上記情報処理装置との間で送受信された情報に基づいて移動体通信ネットワークを介して課金サーバに課金要求を送信し、該移動体通信ネットワークを介して該課金サーバから課金が完了した旨を示す課金応答を受信し、上記表示制御手段は、該課金応答に基づいて上記認証用画像を表示するように制御することを特徴とするものである。
また、請求項８の発明は、請求項１乃至６のいずれかの移動体通信端末において、当該移動体通信端末の利用者が使用可能な電子マネーの情報を記憶する情報記憶手段を備え、上記決済処理手段は、上記情報処理装置との間で送受信された情報と該情報記憶手段に記憶されている該電子マネーの情報とに基づいて決済処理を行い、上記表示制御手段は、該決済処理が完了した後に上記認証用画像を表示するように制御することを特徴とするものである。
また、請求項９の発明は、請求項１乃至８のいずれかの移動体通信端末において、上記表示制御手段は、上記認証用画像として、上記決済処理が完了している旨を示す内容を人間が視認可能な画像を表示するように制御することを特徴とするものである。
【０００９】
なお、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division ynchronous Code Division Multiple Access）方式の一つであるＴＤ−ＳＣＤＭＡ（ＭＣ：Multi Carrier）方式の携帯電話機、ＰＨＳ（Personal Handyphone System）などが挙げられる。
また、上記移動体通信端末における処理及び制御は、これに設けられたコンピュータで所定のプログラムを実行することによって実現することもできる。このコンピュータで用いるプログラムの受け渡しは、デジタル情報としてプログラムを記録したＦＤ、ＣＤ−ＲＯＭ等の記録媒体を用いて行ってもいいし、コンピュータネットワーク等の通信ネットワークを用いて行ってもよい。
【発明の効果】
【００１０】
本発明によれば、移動体通信端末と外部の情報処理装置との間の近距離無線通信により、両者の間で情報の送受信を行う。移動体通信端末は、情報処理装置との間で送受信された情報に基づいて決済処理を行い、その決済処理が完了している旨を示す機械読み取り可能な認証用画像を無給電画像表示手段に表示させることができる。しかも、この無給電画像表示手段は、無給電状態でも上記画像の表示状態を維持することができる。従って、情報処理装置との間の近距離無線通信によって得られた情報に基づいて認証用画像を表示することができ、しかも、その認証用画像の表示状態を、電源を入れることができない状況下においても維持することができるという効果がある。
【発明を実施するための最良の形態】
【００１１】
以下、本発明の実施形態について図面を参照しながら説明する。
〔実施形態１〕
図１は、本発明の第１の実施形態（以下「実施形態１」という。）に係る移動体通信端末（電子機器）としての携帯電話機２０を用いたサービス・商品購入における認証システムの全体構成の一例を示す説明図である。この認証システムは、移動体通信端末としての携帯電話機２０と、移動体通信ネットワークとしての携帯電話通信網１０に接続されたチケット管理サーバ１１と、入場装置１３と、外部の情報処理装置としてのショッピング端末装置（リーダライタ）１５とを備え、携帯電話機２０の利用者が電子チケットを購入したり使用したりするときの認証を行う。
【００１２】
上記携帯電話通信網１０は、予め設定された所定半径のセルごとに設置された基地局１０ａ、携帯電話通信網内の通信を制御する通信制御装置としての交換機（回線交換機、パケット交換機等）、それらを結ぶ伝送路、各携帯電話機２０が位置しているセルの情報を管理する位置情報管理サーバ等を備えている。また、携帯電話通信網１０は、ゲートウェイのノード１０ｂを介してインターネット１２にも接続されており、インターネット１２を介したデータやメールの送受信が可能になっている。
【００１３】
上記チケット管理サーバ１１は、携帯電話通信網１０を介して携帯電話機２０と通信可能に構成され、携帯電話機２０の利用者が購入して使用する電子チケットに関する情報を管理する。この管理対象の情報としては、各利用者が購入して使用する電子チケットそのもの情報のほか、利用者に対して指定されたコンサート会場の座席情報などの情報が挙げられる。
【００１４】
上記入場装置１３は、コンサート会場などの電子チケットの使用場所に設けられ、インターネット１２等の通信ネットワークを介してチケット管理サーバ１１と通信可能に構成されている。この入場装置１３は、サービスの提供場所において、携帯電話機２０に表示されている認証用画像を読み取り、その携帯電話機２０の利用者が正規の利用者か否かを判断する認証処理を行う。例えば、入場装置１３は、コンサートの電子チケット等の画像を読み取り、読み取った画像のデータの認識処理を行い、認識結果の情報に基づいて認証処理を行う。この認証結果の情報や当該利用者が入場した旨の情報は、インターネット１２等の通信ネットワークを介してチケット管理サーバ１１に送信される。
なお、上記認証処理は、入場装置１３ではなくチケット管理サーバ１１で行うようにしてもよい。この場合、入場装置１３は、通信ネットワークを介してチケット管理サーバ１１に、上記画像の読み取り結果又は上記認識結果の情報を送信する。チケット管理サーバ１１は、入場装置１３から受信した情報に基づいて認証処理を行い、その認証結果の情報を通信ネットワークを介して入場装置１３に送信する。
【００１５】
上記ショッピング端末装置１５は、携帯電話機２０の利用者が電子チケットを購入する場所（例えばコンビニエンスストア）に設けられる。このショッピング端末装置１５は、利用者が携帯電話機２０をかざしたときに、その携帯電話機２０との間で電磁波を用いた近距離通信により電子チケットの購入に関する情報の送受信を行う。また、ショッピング端末装置１５は、インターネット１２等の通信ネットワークを介してチケット管理サーバ１１と通信可能に構成されている。
【００１６】
図２は、本実施形態１の携帯電話機２０の主な構成を示す機能ブロック図である。図３（ａ）は携帯電話機２０の外観を示す正面図であり、図３（ｂ）はその携帯電話機２０の背面の一例を示す背面図である。図４は、携帯電話機２０のハードウェア構成を示す概略構成図である。
この携帯電話機２０は、クラムシェル（折り畳み）タイプの携帯電話機である。携帯電話機２０は、外壁部を構成するケーシング３０ａ，３０ｂの内部に図４に示すような要素を備えている。すなわち、携帯電話機２０は、システムバス２００、ＣＰＵ２０１、ＲＡＭ２０２やＲＯＭ２０３からなる内部メモリ、入力装置２０４、出力装置２０５、携帯電話通信網用通信装置２０６、表示制御装置２０７、ケーシング画像表示パネル２０８及び非接触ＩＣ装置２０９を備えている。これらＣＰＵ２０１やＲＡＭ２０２等の構成要素は、システムバス２００を介して、互いに各種データや後述のプログラムの命令等のやり取りを行っている。また、携帯電話機の本体部分（携帯電話プラットフォーム）を制御する主制御部は、上記ＣＰＵ２０１等を用いて構成されている。
【００１７】
上記ケーシング３０ａ，３０ｂのうち、上部ケーシング３０ａの外部露出部分には、図３（ｂ）に示すように、無給電画像表示手段２１４として機能するケーシング画像表示パネル（以下、「表示パネル」という。）２０８が設けられている。なお、図３（ｂ）中の破線で囲んだ部分は、表示パネル２０８の表示領域Ａを示している。この表示パネル２０８は、表示画像を切り換えるための電気信号を受けることで表示画像が変化し且つ該画像の表示状態を無給電状態でも維持可能なものである。
【００１８】
上記内部メモリの記憶領域の一部は、携帯電話機２０の利用者が使用可能な電子マネーの情報を記憶する情報記憶手段２１１として機能する。この情報記憶手段２１１としては、携帯電話機２０に着脱可能なメモリーカード等の外部記憶媒体を用いるようにしてもよい。また、上記内部メモリや外部記憶媒体には、電子チケットの購入時等に使用される利用者ＩＤ情報、チケット管理サーバ１１から受信した各種情報、知人等の電話番号情報を含むアドレス帳情報などを記憶しておいてもよい。このアドレス帳情報には、電話番号情報のほか、メールアドレス情報、その電話番号やメールアドレス情報に係る知人等の名前情報なども含まれている。
【００１９】
上記ＣＰＵ２０１で構成された主制御部は、近距離無線通信により外部のショッピング端末装置１５との間で送受信された情報に基づいて決済処理を行う決済手段２１３としても機能する。この決済処理には、上記内部メモリ等からなる情報記憶手段２１１に記憶されている電子マネーの情報が用いられる。
【００２０】
上記入力装置２０４は、データ入力キー（テンキー、＊キー、＃キー）２１、通話開始キー２２、終話キー２３、スクロールキー２４、多機能キー２５、マイク２６などから構成されている。これらのキーで構成されるキー操作部は、上記ＣＰＵ２０１やＲＡＭ２０２等と協働することにより、各種情報を利用者が入力するための情報入力手段や、特定の処理の開始を指示する指示手段として機能する。例えば、コンサート等のサービスや商品の購入の申し込みに必要な申し込み情報を利用者が入力する手段や、その購入申込み処理の開始を利用者が指示する手段として機能する。
上記出力装置２０５は、画像の表示状態が維持されている間も電力を消費する一般的な給電画像表示手段である液晶ディスプレイ（ＬＣＤ）２７、スピーカ２８等から構成されている。
【００２１】
上記携帯電話通信網用通信装置２０６は、例えば変復調器、シンセサイザ、周波数変換器，高周波増幅器などにより構成され、携帯電話通信網１０を介して各種装置やサーバと通信したり他の携帯電話機等と通信したりするためのものである。
【００２２】
上記表示制御装置２０７は、例えば、表示パネル２０８を駆動する駆動回路と、主制御部からの指令に基づいて内部メモリに記憶されている画像データを用いて上記駆動回路を制御する制御回路とを用いて構成され、上部ケーシング３０ａに設けられた表示パネル２０８に表示される表示画像の表示制御を行うものである。表示制御装置２０７は、ＣＰＵ２０１から送られてくる表示制御命令に従い、上記内部メモリ等に記憶されている画像データに基づいて、表示パネル２０８に所定の画像を表示させる。上記表示制御装置２０７から表示パネル２０８へ出力される電気信号は、上部ケーシング３０ａに設けられる図示しない信号端子から表示パネル２０８に入力される。表示パネル２０８に電気信号が入力されると、その電気信号に応じたケーシング画像が、表示パネル２０８の表示領域Ａに表示される。具体的には、表示パネル２０８に表示している画像を切り換えるとき、上記主制御部は、その画像データをＲＡＭ２０２から読み出し、表示制御装置２０７に対してこの画像データに基づく表示制御命令を出力する。この表示制御命令を受けた表示制御装置２０７は、その画像データに基づく画像を表示パネル２０８に表示させるための電気信号を出力する。そして、表示パネル２０８に画像が表示されたら、表示制御装置２０７は当該電気信号を出力を停止する。
【００２３】
図５（ａ）は、表示パネル２０８の構成を示すケーシング３０ａの断面図である。
上記表示パネル２０８は、上部ケーシング３０ａ上に貼り付けられている。本実施形態１の表示パネル２０８としては、コレステリック液晶を用いた電子ペーパーを用いている。この電子ペーパーは、２枚のガラス板３１，３３の間にコレステリック液晶３２が介在したものである。コレステリック液晶３２は、図５（ｂ）に示すように、入射した光のうち、分子配列のらせん周期Ｌに応じて決まる波長の光を選択的に反射させることで、フルカラー表現を可能にしている。分子配列のらせん周期Ｌは、一般に温度が上昇すると小さくなるので、温度コントロールにより所望の色を表現することができる。また、コレステリック液晶３２は、急冷することにより分子配列のらせん周期Ｌを固定化することが可能である。したがって、らせん周期Ｌを固定化した後は、色を固定できる。このような特性から、コレステリック液晶３２を用いた電子ペーパーは、画像を表示する際には温度コントロール用の電力を消費するが、一旦画像が表示された後は無電力で画像を表示し続けることができる。このように画像の表示状態を無給電状態でも維持可能な表示パネルとしては、コレステリック液晶に限らず、例えば強誘電性液晶を用いた他の電子ペーパーなどであってもよい。
【００２４】
また、本実施形態１の表示パネル２０８としては、図６に示すような電子ペーパーも利用可能である。この表示パネル２０８は、図示のように、透明下基材層３４、画像記録層３５、透明上基材層３６、保護層３７の４層構造となっている。透明下基材層３４の上部すなわち携帯電話機２０の外部側には、下格子電極３８が設けられており、透明上基材層３６の下部すなわち携帯電話機２０の内部側には、上格子電極３９が設けられている。下格子電極３８は、携帯電話機２０の横方向（図３中横方向）に平行に延びる多数の電線で構成されており、各電線の端部は、上記表示制御装置２０７に接続された信号端子に接続されている。また、上格子電極３９は、携帯電話機２０の縦方向（図３中縦方向）に平行に延びる多数の電線で構成されており、各電線の端部も同様に上記信号端子に接続されている。このように、下格子電極３８及び上格子電極３９は、表示パネル２０８の表示領域Ａの全域にわたって、その電線が延びる方向が互いに直交するように配置されている。そして、表示制御装置２０７から適切なＯＮ／ＯＦＦタイミングの電気信号を入力することで、表示領域Ａの任意の地点における下格子電極３８の電線と上格子電極３９の電線との間の電位差を制御できる。
【００２５】
上記画像記録層３５としては、下格子電極３８と上格子電極３９との間に印加される電位差によってその地点の可視状態を制御することが可能であって、表示制御装置２０７から電気信号の入力がなくなっても、その可視状態が維持されるものを利用することができる。例えば、透明なマイクロカプセル内に多数の白色粒子及び黒色粒子を封入し、これを下格子電極３８の電線と上格子電極３９の電線とが互いに交差する全ての地点（画素点）に配置したものを、上記画像記録層３５として用いることができる。この場合、各マイクロカプセル内の白色粒子と黒色粒子は互いに逆極性に帯電している。本実施形態１では、白色粒子として負極性帯電物質を用い、黒色粒子として正極性帯電物質を用いている。よって、表示制御装置２０７から電気信号を入力して、ある画素点における下格子電極３８の電位を負極性とし上格子電極３９の電位を正極性とした場合、その画素点のマイクロカプセル内では黒色粒子が上格子電極３９側へ電気泳動し、白色粒子が下格子電極３８側へ電気泳動する。その結果、この画素点を携帯電話機２０の外部から見たとき、その画素点は黒色に見える。逆に、下格子電極３８の電位を正極性とし上格子電極３９の電位を負極性とした場合の画素点は、白色に見える。このような表示制御を表示領域Ａの全域にわたって行うことで、その表示領域Ａに所望のモノクロ画像を表示させることができる。しかも、各マイクロカプセル内の黒色粒子と白色粒子の配置は、表示制御装置２０７からの電気信号の入力がなくなっても維持される。したがって、本表示パネル２０８は、一旦表示した画像を無給電状態であってもそのまま維持することができる。また、表示制御装置２０７から入力される電気信号に応じて、多階調のモノクロ画像を表示させることもできる。
なお、ここでは、モノクロ画像について説明したが、カラー画像を表示させることも可能である。カラー画像を表示させる具体例としては、上記透明上基材層３６と上記保護層３７との間にカラーフィルタ層を設けたものが挙げられる。このカラーフィルタ層としてＲ（赤）、Ｇ（緑）、Ｂ（青）の３色のフィルターを用いた場合、下格子電極３８の電線と上格子電極３９の電線とが互いに交差する地点のうち、互いに隣接する３つの地点を１つの画素として取り扱う。そして、この３つの地点にそれぞれＲ、Ｇ、Ｂのフィルタ部分が対向するように、カラーフィルタ層を設ける。これにより、例えばある画素を赤色とする場合には、Ｒフィルタ部分に対向するマイクロカプセルについては白色粒子が上格子電極３９側へ電気泳動し、Ｇフィルタ部分及びＢフィルタ部分に対向するマイクロカプセルについては黒色粒子が上格子電極３９側へ電気泳動するような、電気信号を入力する。
また、本発明で用いることができる表示パネル２０８としては、表示画像を切替可能でかつ無給電状態でも表示画像の表示状態を維持可能なものであれば、利用することができる。例えば、表示画像を切り換えるための電気信号を受けることで表示画像が変化し且つ該画像の表示状態を無給電状態でも維持可能な他の公知の電子ペーパーなどを利用することができる。
【００２６】
上記非接触ＩＣ装置２０９は携帯電話機２０に組み込まれ、電磁波を用いた近距離無線通信によりショッピング端末装置１５との間で情報を送受信する近距離無線通信手段２１２として機能する。この非接触ＩＣ装置２０９は、ＩＣチップ、アンテナ等で構成され、カード型、ラベル型、コイン型、スティック型など様々な形状のものを用いることができる。非接触ＩＣ装置２０９における近距離無線通信方式としては、非接触ＩＣカード、非接触ＩＣモジュール、ＲＦＩＤ（Radio Frequency Identification）タグで用いられている無線通信方式、Bluetooth（登録商標）の無線通信方式、赤外線を用いた無線通信方式等の各種の方式を採用することできる。
【００２７】
上記非接触ＩＣ装置２０９は、例えばループアンテナ、無線インターフェース部、符合変調・復調部、データ処理部等で構成される。ループアンテナはコンデンサと組み合わせにより、外部の情報処理装置としてのショッピング端末装置１５（リーダライタ）から送信された電磁波の所定周波数に共振するＬＣ回路を形成している。無線インターフェース部は、アンテナを介して受信した受信波信号を検波して復調したり、送信対象の信号を所定変調方式で変調してアンテナに送る送信波信号を生成したりする。符合変調・復調部は、データ処理部から受けた送信対象のデータを所定のコードで符号化して無線インターフェース部に送ったり、無線インターフェース部から受けた受信データを復号化してデータ処理部に送ったりする。データ処理部は、バスを介して互いにデータのやり取りが可能なＣＰＵ、ＲＡＭ、ＲＯＭ、ＥＥＰＲＯＭ、入出力インターフェース等で構成されている。このデータ処理部のバスには上記符合変調・復調部が接続されており、データ処理部と符合変調・復調部との間でデータを送受信できるようになっている。また、このデータ処理部と携帯電話機２０の本体側の主制御部との間は、上記入出力インターフェースを介してデータが送受信される。
また、上記非接触ＩＣ装置２０９は、携帯電話機の電源をオフにした状態でも動作させることができるように、上記外部のショッピング端末装置１５が発した電磁波から電力を取得可能に構成するのが好ましい。例えば、ショッピング端末装置１５から送信された電磁波を受信して得られた交流信号を整流し、この整流した信号の電気エネルギー（電力）を一旦コンデンサ等に蓄積する。このコンデンサ等から供給される電気エネルギー（電力）により非接触ＩＣ装置２０９の各部の回路が動作する。
【００２８】
携帯電話機２０の本体を所定の手順に従って動作させる電話機プラットフォームを構築するための制御用プログラムは、ＲＡＭ２０２やＲＯＭ２０３に記憶されている。また、基本ＯＳ（オペレーティングシステム）のプログラムや各種アプリケーションプログラムも、ＲＡＭ２０２やＲＯＭ２０３に記憶されている。そして、これらのプログラムは、必要に応じてＣＰＵ２０１やＲＡＭ２０２中の作業エリアに呼び出されて実行される。
また、上記非接触ＩＣ装置２０９を所定の手順に従って動作させるための制御プログラムは、非接触ＩＣ装置２０９中のデータ処理部を構成しているＲＯＭやＥＥＰＲＯＭなどに記憶され、必要に応じて非接触ＩＣ装置２０９内のＣＰＵやＲＡＭに読み出されて実行される。
【００２９】
図７はチケット管理サーバ１１の主な構成を示す機能ブロック図である。図８はチケット管理サーバ１１のハードウェア構成を示すブロック図である。
このチケット管理サーバ１１は、携帯電話機通信網１０に設けられ、システムバス１００、ＣＰＵ１０１、内部記憶装置、外部記憶装置１０４、入力装置１０５及び出力装置１０６を備えている。上記内部記憶装置は、ＲＡＭ１０２やＲＯＭ１０３等で構成されている。上記外部記憶装置１０４は、ハードディスクドライブ（ＨＤＤ）や光ディスクドライブ等で構成されている。これらの内部記憶装置や外部記憶装置は、コンサート等のチケットの発行に関連したチケット関連情報を記憶する情報記憶手段１１１として機能する。このチケット関連情報としては、発行済みのチケットの情報、チケットを発行した利用者の情報、未発行のチケットの情報、コンサート会場の座席情報、飛行機や列車の指定席の座席情報号等の情報が挙げられる。
また、上記入力装置１０５は、マウスやキーボード等で構成されている。上記出力装置１０６は、ディスプレイやプリンタ等で構成されている。
【００３０】
更に、上記チケット管理サーバ１１は、携帯電話通信網１０を介してデータの送受信を行う携帯電話通信網用通信装置１０７を備えている。この携帯電話通信網用通信装置１０７は、上記ＣＰＵ１０１やＲＡＭ１０２と協働することにより、チケット購入情報受信手段１１２、チケット発行情報送信手段１１４、画像読取情報受信１１５及び認証結果送信手段１１７として機能する。
上記チケット購入情報受信手段１１２は、携帯電話通信網１０及びインターネット１２を介してショッピング端末装置１５から、購入対象のチケットに関するチケット購入情報を受信するものである。このチケット購入情報は、例えば、購入対象のチケットの種類や枚数の情報、購入者の情報、決済処理完了の有無に関する情報である。
また、上記チケット発行情報送信手段１１４は、携帯電話通信網１０及びインターネット１２を介してショッピング端末装置１５に、チケットの発行に関するチケット発行情報を送信するものである。このチケット発行情報は、例えば、携帯電話機２０とショッピング端末装置１５との間での決済処理が完了していない場合には予約状態又は仮発行状態にあるチケットに関する情報であり、上記決済処理が完了している場合には正式に発行された状態にあるチケットに関する情報である。
上記画像読取情報受信手段１１５は、携帯電話通信網１０及びインターネット１２を介して入場装置１３から、携帯電話機２０に表示されているコード画像等の認証用画像を読み取った画像読み取り情報を受信するものである。この画像読み取り情報としては、入場装置１３で読み取ったコード画像等の認証用画像の画像データそのものでもいいし、このコード画像等の認証用画像の画像データを解析して得られたテキストなどの情報であってもよい。
上記認証結果送信手段１１７は、携帯電話通信網１０及びインターネット１２を介して入場装置１３に、上記画像読み取り情報に基づいて正規のチケット購入者又は正規のチケット予約者であるか否かを示す認証結果を送信するものである。
【００３１】
また、上記ＣＰＵ１０１やＲＡＭ１０２等は互いに協働することにより、チケット発行処理手段１１３及びチケット購入認証手段１１６として機能する。
チケット発行処理手段１１３は、上記チケット購入情報受信手段で受信したチケット購入情報と、情報記憶手段１１に記憶されているチケット関連情報とに基づいて、移動体通信端末２０の利用者に対するチケット発行処理を行う。携帯電話機２０とショッピング端末装置１５との間での決済処理が完了していない場合には、未発行のチケットの状態を予約された状態にする仮処理を行う。
また、上記チケット購入認証手段１１６は、上記入場装置１３から受信した認証用画像の画像読み取り情報に基づいて、情報記憶手段１１１内のチケット関連情報を参照し、携帯電話機２０の利用者が正規のチケット購入者であるか否かの認証処理を行う。
【００３２】
上記ＣＰＵ１０１やＲＡＭ１０２等の構成要素は、システムバス１００を介して、互いにデータやプログラムの命令等のやり取りを行う。このチケット管理サーバ１１を所定の手順に従って動作させるためのプログラムは、ＲＯＭ１０３や外部記憶装置１０４に記憶されており、必要に応じてＣＰＵ１０１やＲＡＭ１０２上の作業エリアに呼び出されて実行される。
【００３３】
なお、上記チケット管理サーバ１１は、専用の制御装置として構成してもいいし、汎用のコンピュータシステムを用いて構成してもよい。また、チケット管理サーバ１１は、１台のコンピュータで構成してもいいし、複数の機能をそれぞれ受け持つ複数台のコンピュータをネットワークで結んで構成してもよい。また、このチケット管理サーバ１１は、携帯電話通信網１０ではなくインターネット１２上に設け、携帯電話通信網１０を介さないで入場装置１３やショッピング端末装置１５と通信するようにしてもよい。
【００３４】
図９は、コンサート会場等のサービス提供場所に設置される入場装置１３の機能ブロック図である。図１０は、入場装置１３のハードウェア構成を示すブロック図である。
この入場装置１３は、システムバス３００、ＣＰＵ３０１、ＲＡＭ３０２、ＲＯＭ３０３、画像読取装置３０４、インターネット用通信装置３０５及び表示装置３０６を備えている。
上記画像読取装置３０４は、ＣＰＵ３０１やＲＡＭ３０２と協働することにより、携帯電話機２０の表示パネル２０８に表示されている認証用画像を読み取る画像読み取り手段３１１として機能する。この画像読取装置３０４は、例えば、携帯電話機２０の表示パネル２０８に表示されるサービス関連情報（電子チケット情報）の認証用画像であるコード画像を読み取る。このコード画像は、バーコード画像でもいいし、ＱＲコード（登録商標）等の二次元のコード画像でもよい。
【００３５】
上記インターネット用通信装置３０５は、インターネット１２を介してデータの送受信を行うためのものである。このインターネット用通信装置３０５は、ＣＰＵ３０１やＲＡＭ３０２と協働することにより、画像読取情報送信手段３１２及び認証結果情報受信手段３１３として機能する。画像読取情報送信手段３１２は、インターネット１２を介してチケット管理サーバ１１に、上記認証用画像を読み取った画像読取情報を送信する。チケット管理サーバ１１は、入場装置１３から受信した画像読取情報に基づいて、入場しようとする利用者が正規のチケット購入者か否かを確認する認証処理や、その認証処理の結果を示す認証結果情報を入場装置１３や上記認証用画像を表示している携帯電話機２０に対して送信する処理を行うことができる。ここで、上記認証処理は、例えば、画像読取装置３０４により読み取ったコード画像のデータから抽出される電子チケットの情報と、チケット管理サーバ１１に登録されている登録情報とが一致するか否かにより行われる。
【００３６】
上記表示装置３０６は液晶ディスプレイなどによって構成され、各種情報を表示することができる。また、この表示装置３０６は、上記チケット管理サーバ１１から受信した認証結果情報を表示する認証結果表示手段３１４として機能する。
【００３７】
上記ＣＰＵ３０１やＲＡＭ３０２等の構成要素は、システムバス３００を介して、互いにデータやプログラムの命令等のやり取りを行う。この入場装置１３を所定の手順に従って動作させるためのプログラムは、ＲＯＭ３０３に記憶されており、必要に応じてＣＰＵ３０１やＲＡＭ３０２上の作業エリアに呼び出されて実行される。
【００３８】
図１１はコンビニエンスストア等に設置されるショッピング端末装置１５の機能ブロック図である。図１２はショッピング端末装置１５のハードウェア構成を示すブロック図である。このショッピング端末装置１５は、システムバス５００、ＣＰＵ５０１、ＲＡＭ５０２、ＲＯＭ５０３、インターネット用通信装置５０４、非接触ＩＣ用通信装置５０５及び表示装置５０６を備えている。
【００３９】
上記非接触ＩＣ用通信装置５０５は、ＣＰＵ５０１やＲＡＭ５０２と協働することにより、携帯電話機２０が近くに位置するときに携帯電話機２０と通信する近距離無線通信手段５１４として機能する。この非接触ＩＣ用通信装置５０５は、前述の携帯電話機２０の非接触ＩＣ装置２０９と同様に、例えばアンテナ、無線インターフェース部、符合変調・復調部、データ処理部等で構成される。
【００４０】
上記インターネット用通信装置５０４は、ＣＰＵ５０１やＲＡＭ５０２と協働することにより、チケット購入情報送信手段５１１及びチケット発行情報受信手段５１３として機能する。
上記チケット購入情報送信手段５１２は、チケットを購入しようとする利用者の携帯電話機２０との間の近距離無線通信によって得られた情報に基づいて、インターネット１２を介してチケット管理サーバ１１にチケット購入情報を送信する。このチケット購入情報は、携帯電話機２０との間の情報の送受信によって決済処理が完了しているか否かを示す情報を含む。
また、上記チケット発行情報受信手段５１４は、インターネット１２を介してチケット管理サーバ１１からチケット発行情報を受信する。このチケット発行情報は、上記決済処理が完了していない場合にはチケットの予約や仮発行に関する情報であり、上記決済処理が完了している場合にはチケットの正式発行に関する情報である。
【００４１】
携帯電話機２０の表示パネル２０８に表示されている認証用画像を読み取る画像読み取り手段３１１として機能する。この画像読取装置３０４は、例えば、携帯電話機２０の表示パネル２０８に表示されるサービス関連情報（電子チケット情報）の認証用画像であるコード画像を読み取る。このコード画像は、バーコード画像でもいいし、ＱＲコード（登録商標）等の二次元のコード画像でもよい。
【００４２】
上記通信装置３０５は、インターネット１２を介してデータの送受信を行うためのものである。この通信装置３０５は、ＣＰＵ３０１やＲＡＭ３０２と協働することにより、画像読取情報送信手段３１２及び認証結果情報受信手段３１３として機能する。画像読取情報送信手段３１２は、インターネット１２を介してチケット管理サーバ１１に、上記認証用画像を読み取った画像読取情報を送信する。チケット管理サーバ１１は、入場装置１３から受信した画像読取情報に基づいて、入場しようとする利用者が正規のチケット購入者か否かを確認する認証処理や、その認証処理の結果を示す認証結果情報を入場装置１３や上記認証用画像を表示している携帯電話機２０に対して送信する処理を行うことができる。ここで、上記認証処理は、例えば、画像読取装置３０４により読み取ったコード画像のデータから抽出される電子チケットの情報と、チケット管理サーバ１１に登録されている登録情報とが一致するか否かにより行われる。
【００４３】
上記表示装置３０６は液晶ディスプレイなどによって構成され、各種情報を表示することができる。また、この表示装置３０６は、上記チケット管理サーバ１１から受信したチケット発行情報を表示する手段として機能する。
【００４４】
上記ＣＰＵ３０１やＲＡＭ３０２等の構成要素は、システムバス３００を介して、互いにデータやプログラムの命令等のやり取りを行う。この入場装置１３を所定の手順に従って動作させるためのプログラムは、ＲＯＭ３０３に記憶されており、必要に応じてＣＰＵ３０１やＲＡＭ３０２上の作業エリアに呼び出されて実行される。
【００４５】
次に、上記認証システムにより、利用者が携帯電話機２０を用いて電子チケットを購入し、その電子チケットを使ってコンサート会場に入場するときの処理の流れの一例について説明する。
【００４６】
図１３は、電子マネー機能を有する携帯電話機２０をショッピング端末装置１５にかざして電子チケットを購入するときの処理の一例を示すシーケンスフロー図である。
まず、利用者が携帯電話機２０を操作してチケット購入のメニュー画面を液晶ディスプレイ２７に表示し、購入対象のチケットの種類や枚数等を指定する（ステップ１）。
次に、利用者が携帯電話機２０をショッピング端末装置１５に近づけてかざすと、携帯電話機２０とショッピング端末装置１５との間で相互認証処理が実行され、携帯電話機２０は、内部メモリに記憶されている購入チケット情報をショッピング端末装置１５に送信する（ステップ２，３）。ショッピング端末装置１５は、携帯電話機２０から受信した購入チケット情報を含むチケット予約要求をチケット管理サーバ１１に送信する（ステップ４）。
次に、チケット管理サーバ１１は、ショッピング端末装置１５から受信したチケット予約要求に基づいて、上記利用者が購入しようとするチケットについて予約処理を行い、そのチケット予約情報を含むチケット予約要求をショッピング端末装置１５に送信する（ステップ５，６）。ショッピング端末装置１５は、チケット管理サーバ１１から受信したチケット予約情報を携帯電話機２０に送信する（ステップ７）。
次に、携帯電話機２０は、ショッピング端末装置１５から受信したチケット予約情報に基づいて、予約されたチケットの種類、枚数、購入金額等を含むチケット購入確認画面を表示する（ステップ８）。利用者は、このチケット購入確認画面を確認し、購入確認のデータを入力するように携帯電話機２０を操作する（ステップ９）。この操作により、携帯電話機２０とショッピング端末装置１５との間で所定の情報の送受信が行われ、上記チケットの購入について決済処理が行われる（ステップ１０）。この決済処理により、携帯電話機２０は、内部メモリに記憶されている電子マネーの金額から上記チケットの購入金額を差し引くように電子マネーの情報を更新する。
次に、ショッピング端末装置１５は、上記決済処理が完了した後、その決済処理が完了した旨を示す購入確認データを含むチケット発行要求をチケット管理サーバ１１に送信する（ステップ１１）。
次に、チケット管理サーバ１１は、上記購入対象のチケットを発行するチケット発行処理を実行し、電子チケット情報を含むチケット発行応答をショッピング端末装置１５に送信する（ステップ１２，１３）。ショッピング端末装置１５は、チケット管理サーバ１１から受信した電子チケット情報を携帯電話機２０に送信する（ステップ１４）。
次に、携帯電話機２０は、ショッピング端末装置１５から受信した電子チケット情報を情報記憶手段２１１としての内部メモリに記憶する（ステップ１５）。
【００４７】
図１４は、コンサート会場に入場しようとする利用者につき、その利用者の携帯電話機２０の表示パネル２０８に表示されている認証用画像に基づいて入場希望者の入場を認めるか否かを判断する入場認証処理の一例を示すシーケンスフロー図である。
上記電子チケット情報を受信した携帯電話機２０の利用者は、コンサート会場に入場する場合、携帯電話機２０の電源を切るように求められるので、電源を切る前に電子チケットの認証用画像としてのコード画像を表示する（ステップ１，２）。具体的には、利用者は、入力装置２０４のキーに対して所定の操作を行う。これにより、ＣＰＵ２０１は、内部メモリに記憶されている電子チケットのコードデータを読み出し、表示制御装置２０７に対して読み出したコードデータに基づく表示制御命令を出力する。これを受けた表示制御装置２０７は、その表示制御命令に係る認証用画像としてのコード画像を表示パネル２０８の所定エリアに表示する。その後、コンサート会場で求められたように、携帯電話機２０の電源を切る操作を行う。このように携帯電話機２０の電源を切った状態でも、表示パネル２０８には電子チケットのコード画像が表示されたままである。
【００４８】
次に、コンサート会場の入場口に設置された入場装置（外部機器）１３の画像読取装置３０４に、表示パネル２０８上に表示されているコード画像を読み取らせる（ステップ３）。この画像読取装置３０４で読み取ったコード画像の画像データは、入場装置１３の内部メモリに一時的に保存される。
次に、入場装置１３のＣＰＵ３０１はコード解析プログラムを実行し、上記コード画像の解析を行ってコード画像のコードデータを抽出して、そのコードデータが示す電子チケット情報を取り出す（ステップ４）。入場装置１３は、上記コードデータから取り出した電子チケット情報を含む認証要求を、通信装置３０５によりインターネット１２を介してチケット管理サーバ１１に送信する（ステップ５）。
【００４９】
次に、チケット管理サーバ１１は上記認証要求を受信すると認証処理を実行する（ステップ６）。具体的には、チケット管理サーバ１１のＣＰＵ１０１は、チケット認証プログラムを実行することで認証手段として機能し、認証要求に含まれる電子チケット情報が内部メモリのチケット発行データベースに登録されているか否かの認証処理を行う。チケット管理サーバ１１は、上記認証処理による認証結果を含む認証応答を入場装置１３に送信する（ステップ７）。
【００５０】
次に、入場装置１３のＣＰＵ３０１は、上記認証応答に含まれる認証結果を表示装置３０６に表示するように制御する（ステップ８）。例えば、電子チケット情報がチケット発行データベースに登録されていた場合には、表示装置３０６の液晶画面に入場許可の旨の文字や図柄を表示させ、電子チケット情報がチケット発行データベースに登録されていなかった場合には、表示装置３０６の液晶画面に入場不可の旨の文字や図柄を表示させる。入場装置の傍にいる係員は、この液晶画面の表示内容を見て、利用者の入場を許可し又は許可しないようにする。なお、表示装置３０６をＬＥＤ等のランプにより構成した場合には、次のようにランプの点灯を制御する。すなわち、電子チケット情報がチケット発行データベースに登録されていた場合にはランプを青色に点灯させ、電子チケット情報がチケット発行データベースに登録されていなかった場合にはランプを赤色に点灯させるように制御する。
【００５１】
なお、本実施形態１では、コンサート会場の入場口に設置されている入場装置１３の外部、すなわち、チケット管理サーバ１１において認証処理を行う場合について説明したが、当該入場装置１３で行うようにしてもよい。この場合、例えば、チケット管理サーバ１１に記憶されているチケット発行データベースのデータを入場装置１３に転送しておく。そして、画像読取装置３０４で読み取ったコード画像中の電子チケット情報が当該チケット発行データベースに登録されているか否かの認証処理を入場装置１３で行う。
また、チケット管理サーバ１１による認証の結果、入場が認められた携帯電話機２０について再度の認証要求を受けた場合、チケット管理サーバ１１は、入場を認めない旨の認証結果を認証応答として入場装置１３へ送信するのが望ましい。この場合、複数人が単一の携帯電話機２０を利用して不正に入場するのを防止することができる。
【００５２】
以上、本実施形態１によれば、携帯電話機２０とショッピング端末装置１５との間の近距離無線通信によって送受信された情報に基づいて決済処理を行うことができる。そして、この決済処理の後、その決済処理が完了している旨を示す機械読み取り可能な電子チケットの認証用画像を、携帯電話機２０のケーシング上の表示パネル２０８に表示させることができる。しかも、この表示パネル２０８は、無給電状態でも上記認証用画像の表示状態を維持することができる。従って、本実施形態の携帯電話機２０は、ショッピング端末装置１５との間の近距離無線通信によって得られた情報に基づいて認証用画像を表示することができ、しかも、その認証用画像の表示状態を、電源を入れることができない状況下においても維持することができる。
また、本実施形態１によれば、携帯電話機２０のケーシングの表示パネル２０８に表示する機械読み取り可能な認証用画像が、機械（入場装置１３）で認識処理が容易なバーコードやＱＲコード（登録商標）等のコード画像であるので、係員が画像を視認して処理する場合に比して、認証用画像から電子チケットの情報の抽出及びその電子チケット情報に基づく認識処理を迅速且つ確実に行うことができる。また、上記コード画像は、その画像に含まれる情報を人間が容易に把握できないため、認証処理時のセキュリティを高めることができる。
【００５３】
〔実施形態２〕
次に、本発明の第２の実施形態（以下「実施形態２」という。）について説明する。なお、本実施形態２に係る携帯電話機２０等の基本的な構成及び動作等については、前述の第１の実施形態の場合と同様なものを採用することができるため、共通する部分の説明を省略する。以下、前述の第１の実施形態における構成や動作と異なる部分について説明する。
【００５４】
図１５は、実施形態２に係る携帯電話機２０を用いたサービス・商品の購入における認証システムの全体構成の一例を示す説明図である。この認証システムでは、サービス・商品購入に対する決済処理を携帯電話通信網１０上の課金サーバ１４を用いて行っている。この課金サーバ１４は、携帯電話通信網１０を介してチケット管理サーバ１１や携帯電話機２０と通信可能に構成され、電子チケット購入を申し込んだ利用者（携帯電話機の加入者）について、そのチケット料金の課金処理を行うサーバである。この課金処理は、例えば携帯電話機２０の通話料金等が引き落とされる口座と同じ口座から引き落されるように行なわれる。
【００５５】
図１６は課金サーバ１４の機能ブロック図である。図１７は、課金サーバ１４のハードウェア構成を示すブロック図である。この課金サーバ１４は、携帯電話機通信網１０に設けられ、システムバス４００、ＣＰＵ４０１、内部記憶装置、外部記憶装置４０４、入力装置４０５及び出力装置４０６を備えている。上記内部記憶装置は、ＲＡＭ４０２やＲＯＭ４０３等で構成されている。上記外部記憶装置４０４は、ハードディスクドライブ（ＨＤＤ）や光ディスクドライブ等で構成されている。これらの内部記憶装置や外部記憶装置は、携帯電話機２０の利用者情報やサービス利用に関する各利用者の課金情報を記憶する情報記憶手段４１１として機能する。
また、上記入力装置４０５は、マウスやキーボード等で構成されている。上記出力装置１０６は、ディスプレイやプリンタ等で構成されている。
【００５６】
更に、上記課金サーバ１４は、携帯電話通信網１０を介してデータの送受信を行う携帯電話通信網用通信装置４０７も備えている。この携帯電話通信網用通信装置１０７は、上記ＣＰＵ１０１やＲＡＭ１０２と協働することにより、課金要求受信手段４１２及び課金応答送信手段４１４として機能する。課金要求受信手段４１２は、携帯電話通信網１０を介してチケット発行装置１１から、携帯電話機２０の利用者のサービス利用に対する課金処理を要求する課金要求を受信するものである。また、上記課金応答送信手段４１４は、上記課金要求に応答するように、携帯電話通信網１０を介してチケット発行装置１１に課金処理が完了した旨を示す課金応答を送信する。
【００５７】
また、上記ＣＰＵ４０１やＲＡＭ４０２等は、上記課金要求受信手段４１２で受信した課金要求に基づいて、情報記憶手段４１１に記憶されている情報を参照し、上記利用者によるサービス利用に対する課金処理を行う課金処理手段４１３として機能する。この課金処理手段４１３は、上記課金処理が完了したことを示す課金情報を情報記憶手段４１１に登録するとともに、処理チケット発行装置１１に課金応答を送信すべく上記課金情報を課金情報送信手段４１４に渡す。
【００５８】
上記ＣＰＵ４０１やＲＡＭ４０２等の構成要素は、システムバス４００を介して、互いにデータやプログラムの命令等のやり取りを行う。この課金サーバ１４を所定の手順に従って動作させるためのプログラムは、ＲＯＭ４０３や外部記憶装置４０４に記憶されており、必要に応じてＣＰＵ４０１やＲＡＭ４０２上の作業エリアに呼び出されて実行される。
なお、上記課金サーバ１４は、専用の制御装置として構成してもいいし、汎用のコンピュータシステムを用いて構成してもよい。また、課金サーバ１４は、１台のコンピュータで構成してもいいし、複数の機能をそれぞれ受け持つ複数台のコンピュータをネットワークで結んで構成してもよい。
【００５９】
図１８は、本実施形態２において携帯電話機２０をショッピング端末装置１５にかざして電子チケットを購入するときの処理の一例を示すシーケンスフロー図である。ステップ１〜９の処理については、前述の図１３の場合と同様であるので、それらの処理の説明は省略する。
携帯電話機２０は、ショッピング端末装置１５から受信したチケット予約情報に基づいて、予約されたチケットの種類、枚数、購入金額等を含むチケット購入確認画面を表示する（ステップ８）。利用者は、このチケット購入確認画面を確認し、購入確認のデータを入力するように携帯電話機２０を操作する（ステップ９）。この操作により、携帯電話機２０は、購入確認データを含むチケット発行要求をショッピング端末装置１５に送信する（ステップ１０）。このチケット発行要求は、課金サーバにおける決済処理を要求する決済要求を兼ねている。
次に、ショッピング端末装置１５は、購入確認データを含むチケット発行要求をチケット管理サーバ１１に送信する（ステップ１１）。
次に、上記チケット発行要求を受信したチケット管理サーバ１１と課金サーバ１４との間で所定の情報の送受信が行われ、上記チケットの購入について決済処理が行われる（ステップ１２）。
次に、チケット管理サーバ１１は、上記決済処理の後、上記購入対象のチケットを発行するチケット発行処理を実行し、電子チケット情報を含むチケット発行応答をショッピング端末装置１５に送信する（ステップ１３，１４）。ショッピング端末装置１５は、チケット管理サーバ１１から受信した電子チケット情報を含むチケット発行応答を携帯電話機２０に送信する（ステップ１５）。このチケット発行応答は、課金処理が完了した旨を示す課金応答を兼ねている。
次に、携帯電話機２０は、ショッピング端末装置１５から受信した電子チケット情報を情報記憶手段２１１としての内部メモリに記憶する（ステップ１６）。
【００６０】
なお、上記図１８の例において、携帯電話機２０は、ショッピング端末装置１５及びチケット管理サーバ１１を経由して課金サーバ１４に決済要求（チケット発行要求）を送信しているが、ショッピング端末装置１５等を経由しないようにしてもよい。
【００６１】
図１９は携帯電話機２０と課金サーバ１４との間で課金処理を行う場合の携帯電話機２０の機能ブロック図である。図２０は同課金処理を行う場合のチケット発行処理のシーケンスフロー図である。この場合、携帯電話機２０の決済処理手段２１３は、ショッピング端末装置１５等を経由せずに携帯電話通信網１０を介して課金サーバ１４に課金要求を直接送信する。そして、同決済処理手段２１３は、ショッピング端末装置１５等を経由せずに携帯電話通信網１０を介して課金サーバ１４から課金応答を直接受信する。また、携帯電話機２０は、チケット代金に対する課金処理（決済処理）が完了した旨の課金完了情報を含む購入確認データ、近距離無線通信によりショッピング端末装置１５に送信する。ショッピング端末装置１５が上記課金完了情報を含むチケット発行要求をチケット管理サーバ１１に送信すると、チケット管理サーバ１１はチケット発行処理を実行する。
【００６２】
以上、本実施形態２によれば、携帯電話機２０とショッピング端末装置１５との間の近距離無線通信によって送受信された情報に基づいて、チケット管理サーバ１１と課金サーバ１４との間で決済処理を行うことができる。そして、この決済処理の後、その決済処理が完了している旨を示す機械読み取り可能な電子チケットの認証用画像を、携帯電話機２０のケーシング上の表示パネル２０８に表示させることができる。しかも、この表示パネル２０８は、無給電状態でも上記認証用画像の表示状態を維持することができる。従って、本実施形態の携帯電話機２０は、ショッピング端末装置１５との間の近距離無線通信によって得られた情報に基づいて認証用画像を表示することができ、しかも、その認証用画像の表示状態を、電源を入れることができない状況下においても維持することができる。
特に、本実施形態によれば、携帯電話機通信網１０の課金サーバ１４で決済できるため、携帯電話機の利用料金等と同じ決済システムで決済でき、各種料金の決済の一元化を図ることができる。また、携帯電話機内に電子マネー機能を持たせる場合のように予め所定の金額をチャージ（入金）しておく処理が不要である。
【００６３】
なお、上記各実施形態においては、携帯電話機２０の表示パネル２０８に表示された画像を上記入場装置１３などの外部機器で読み取れば、他人でも、そのコード画像に含まれる電子チケット等の認証用画像を容易に取得することが可能である。したがって、例えば認証用画像のように他人に知られたくない情報については、その認証用画像そのもの又はこれを変換したコードデータを暗号化することにより、表示されたコード画像を他人が外部機器で読み取っても、その情報が他人に知られないようにすることが望ましい。なお、暗号化の方法については、公知の方法を利用することができる。
【００６４】
また、上記各実施形態において、携帯電話機２０の表示パネル２０８に表示する画像は、上記サービス関連情報（電子チケット情報）の内容を人が視認して理解可能な画像であってもよい。このような画像を表示するときは、上記画像を読み取る入場装置１３などの利用者確認装置がない場合や、そのような利用者確認装置が故障した場合でも、サービス提供者側のスタッフが画像を視認して認証処理することができる。なお、人が視認して理解可能な画像は、上記コード画像の代わりに表示してもいいし、上記コード画像と一緒に表示してもよい。
【００６５】
また、上記各実施形態において、入場装置１３などの利用者確認装置による認証用画像の読み取り処理及び認証処理の後に、その携帯電話機２０の表示パネル２０８に表示している認証用画像を読み取り不能になるように変化させてもよい。これにより、認証画像の不正使用を防止することができる。なお、上記画像の変化には、表示パネル２０８に表示している認証画像自体を消す場合のほか、表示パネル２０８に表示している認証用画像を別の画像に切り換える場合も含まれる。
【００６６】
図２１は、携帯電話通信網１０を介して受信した受信情報に基づいて表示パネル２０８の画像を変化させることができる携帯電話機２０の機能ブロック図である。図２２は、受信情報に基づいて表示パネル２０８の画像を変化させる場合の入場認証処理の一例を示すシーケンスフロー図である。この携帯電話機２０は、コンサートが終わって電源がオンになった後、認証結果情報受信手段２１６で受信した認証結果情報に基づいて認証処理を確認したら、表示制御手段２１３により無給電画像表示手段２１４である表示パネル２０８を制御し、その表示パネル２０８に表示している認証用画像を消したり別の画像に切り換えたりする（ステップ９〜１１）。ここで、上記認証結果情報は、携帯電話通信網１０を介したＳＭＳ（Short Message Service）メールなどのＰＵＳＨ型の配信システムによりチケット管理サーバ１１から受信する（ステップ１０）。
【００６７】
図２３は、時刻情報に基づいて表示パネル２０８の画像を変化させることができる携帯電話機２０の機能ブロック図である。図２４は、表示パネル２０８の画像を変化させる場合の入場認証処理の一例を示すシーケンスフロー図である。この携帯電話機２０は、計時手段２１７からの出力に基づいて、例えば上記コンサートが終了して電源がオンになってから所定の時間が経過したタイミングに、表示制御手段２１３により無給電画像表示手段２１４である表示パネル２０８を制御し、その表示パネル２０８に表示している認証用画像を消したり別の画像に切り換えたりする（ステップ９，１０）。
【００６８】
図２５は、アプリケーションプログラムを実行することができ、そのアプリケーションプログラムからの表示制御指令に基づいて表示パネル２０８の画像を変化させることができる携帯電話機２０の機能ブロック図である。図２６は、その携帯電話機２０におけるソフトウェア構造の説明図である。上記アプリケーションプログラム実行管理手段２１８は、上述のシステムバス２００、ＣＰＵ２０１やＲＡＭ２０２の一部等で構成されている。このアプリケーションプログラム実行管理手段２１８は、図２６のソフトウェア構造上において中央の「アプリケーション実行環境」に対応しており、オブジェクト指向プログラミングで開発されたアプリケーションプログラムに利用されるクラスライブラリ、実行環境管理ライブラリ、アプリケーション管理等のソフトウェアを提供し、アプリケーションプログラムの実行環境を管理する。このアプリケーション実行環境は、実行するアプリケーションプログラムに応じて適宜選定される。例えば、実行するアプリケーションプログラムがＪＡＶＡ（登録商標）で記述されたものである場合には、ＪＡＶＡ（登録商標）のアプリケーション実行環境を選定する。また、実行するアプリケーションプログラムがＢＲＥＷ（登録商標）の実行環境上で動作するＣ言語で記述されたものである場合には、ＢＲＥＷ（登録商標）のアプリケーション実行環境を選定する。なお、実行するアプリケーションプログラムがＪＡＶＡ（登録商標）で記述されたものである場合には、ＢＲＥＷ（登録商標）のアプリケーション実行環境上に更にＪＡＶＡ（登録商標）のアプリケーション実行環境を構築することで、これを実行することができる。
ここで、アプリケーションプログラムは、クラスライブラリＡＰＩ（アプリケーションインターフェース）を介して上記アプリケーション実行環境内にある関数等のクラスライブラリを呼び出して使用できるようになっている。この関数等のクラスライブラリの呼び出しの履歴は、アプリケーションプログラムの仮想的な実行環境（仮想マシン：ＶＭ）が終了するまで、ＲＡＭ２０２内におけるアプリケーション用記憶領域に記憶される。また、アプリケーション実行環境は、アプリケーションプログラムの実行に際して用いる各種データも、そのアプリケーション用記憶領域に保存する。そして、この各種データを用いるときには、このアプリケーション用記憶領域から読み出したり、書き込んだりする。また、アプリケーション実行環境内の実行環境管理ライブラリは、電話機プラットフォームＡＰＩを介して後述の電話機プラットフォーム内の電話機プラットフォームライブラリを呼び出して使用できるようになっている。
【００６９】
携帯電話機２０の主制御部は、アプリケーションプログラム実行管理手段２１８との間で制御命令や各種データのやりとりを行い、これらと協働して制御を行う。この主制御部は、図２６のソフトウェア構造上において最下部の「電話機プラットフォーム」に対応しており、電話通信部等を制御するための制御用プログラムやユーザインターフェースを実行したり、電話機プラットフォームライブラリを提供したりする。この電話機プラットフォームは、上記アプリケーション実行環境内の実行環境管理ライブラリに対してイベントを送ることにより、アプリケーションプログラムにおいて各種処理を実行したり、アプリケーション管理ＡＰＩを介して上記アプリケーション実行環境内のアプリケーション管理のソフトウェアを呼び出して使用したりできるようになっている。また、アプリケーション実行環境が電話機プラットフォームＡＰＩを介して電話機プラットフォームライブラリを呼び出して使用したとき、電話機プラットフォームは、その電話機プラットフォームライブラリに応じた処理を実行する。例えば、電話機プラットフォームは、電話機プラットフォームライブラリを利用したアプリケーション実行環境からの指示に基づき、内部メモリ内における電話機プラットフォームが管理するプラットフォーム用記憶領域に記憶されたデータを読み出して、これをアプリケーション用記憶領域に移行することができる。
【００７０】
また、アプリケーションプログラムの内容に従って、表示パネル２０８に表示されている画像を別の画像へ切り替える場合は、次のように動作する。まず、利用者は、表示パネル２０８に表示される画像を制御可能なアプリケーションプログラムをダウンロードサーバからダウンロードして取得し、これを登録する。具体的には、利用者はキーを操作してダウンロードサーバにアクセスする。これにより、ダウンロード可能なアプリケーションプログラムを選択するためのダウンロード選択画面が液晶ディスプレイ２７上に表示される。そして、このダウンロード選択画面において、実行対象となるアプリケーションプログラムをスクロールキー２４を用いて選択し、多機能キー２５を押下すると、主制御部が通信装置２０６を制御して、そのアプリケーションプログラムをダウンロードサーバからダウンロードする。このようにしてダウンロードされたアプリケーションプログラムは、主制御部により、内部メモリに記憶される。このようにダウンロードしたアプリケーションプログラムを実行する場合、利用者は、操作部のキーを操作して、実行するアプリケーションプログラムを選択し、実行指示操作を行う。すると、図２６に示した電話機プラットフォームにアプリケーションプログラムの実行指示が入力される。これにより、主制御部は、所定のアプリケーションプログラムを読み出してこれを起動する。このアプリケーションプログラムから図２６に示したアプリケーション実行環境に対して表示制御命令が送られると、アプリケーションプログラム実行管理手段２１８は、電話機プラットフォームの主制御部に対して表示制御命令を送る。これを受けた主制御部は、その表示制御命令に係る画像データを内部メモリから読み出す。その後、主制御部は、上記と同様に、表示制御装置２０７に対して上記画像データに基づく表示制御命令を出力する。これにより、表示パネル２０８に表示されている上記認証用画像が、アプリケーションプログラムの内容に従った別の画像へ切り替わる。このようにアプリケーションプログラムの内容に従って表示パネル２０８に表示する画像を切り替えることができるので、アプリケーションプログラムの実行中に、携帯電話機の外観デザインをそのアプリケーションプログラムの内容に関連したものとすることができる。
【００７１】
また、上記各実施形態においては、電子チケットのコード画像の変換処理及び表示処理を、コンサート会場で携帯電話機２０の電源をオフする前に行っているが、ショッピング端末装置１５から電子チケット情報を受けたときに行うようにしてもよい。
【００７２】
また、上記各実施形態においては、携帯電話機２０の無給電画像表示手段としての表示パネル２０８に表示している画像が主にコンサート会場への入場時に用いる認証用画像である場合について説明したが、本発明は、上記認証用画像以外の商品やサービスに関連した画像を表示する場合についても適用できるものである。例えば、携帯電話機２０の表示パネル２０８に、コンサート会場の全体座席表や予約済みの座席番号、飛行機や列車の予約済みの座席番号、コンサートの曲目リスト等のサービス関連情報の画像を表示してもよい。この場合は、携帯電話機２０の表示パネル２０８上の座席情報を見てスムーズに座席に着いたり、コンサートの曲目リスト等を確認したりすることができる。特に、携帯電話機２０の電源を切る必要があるコンサート会場や飛行機の内部に入った場合でも、表示パネル２０８上の座席情報を見てスムーズに座席に着いたり、コンサートの曲目リスト等を確認したりすることができる。
【００７３】
また、上記各実施形態においては、ショッピング端末装置１５及び入場装置１３がインターネット１２に接続されているが、ショッピング端末装置１５及び入場装置１３のいずれか一方又は両装置がインターネット１２を介さずに携帯電話通信網１０上のサーバと通信できるように構成してもよい。例えば、ショッピング端末装置１５及び入場装置１３のいずれか一方又は両装置を、専用回線を用いて携帯電話通信網１０と接続する。
【００７４】
また、上記各実施形態においては、携帯電話機２０に表示した認証用画像（コード画像）を読み取る装置がコンサート会場の入場装置１３である場合について説明したが、本発明は、他の装置で上記認証用画像を読み取る場合にも同様に適用できる。例えば、本発明は、携帯電話機２０に表示した認証用画像（コード画像）をチケット発券装置で読み取って紙のチケットを出力するような場合にも同様に適用できる。
【００７５】
また、上記各実施形態においては、携帯電話機２０を例に挙げて説明したが、本発明は、他の移動体通信端末や携帯機器についても同様に適用できるものである。
【図面の簡単な説明】
【００７６】
【図１】本発明の実施形態１に係る携帯電話機を用いた認証システムの全体の概略構成を示す説明図。
【図２】同携帯電話機の機能ブロック図。
【図３】（ａ）は同携帯電話機の外観を示す正面図。（ｂ）は同携帯電話機の背面の一例を示す背面図。
【図４】同携帯電話機のハードウェア構成を示す概略構成図。
【図５】（ａ）は同携帯電話機の表示パネルの一構成例を示すケーシングの断面図。（ｂ）は同表示パネルの動作原理を示す説明図。
【図６】他の構成例に係る表示パネルの構成を示すケーシングの断面図。
【図７】本実施形態の認証システムを構成するチケット管理サーバの機能ブロック図。
【図８】同チケット管理サーバのハードウェア構成を示す概略構成図。
【図９】同認証システムを構成する入場装置の機能ブロック図。
【図１０】同入場装置のハードウェア構成を示す概略構成図。
【図１１】同認証システムを構成するショッピング端末装置の機能ブロック図。
【図１２】同ショッピング端末装置のハードウェア構成を示すブロック図。
【図１３】実施形態１における電子チケットを購入するときの処理の一例を示すシーケンスフロー図。
【図１４】実施形態１における入場認証処理の一例を示すシーケンスフロー図。
【図１５】本発明の実施形態２に係る携帯電話機を用いた認証システムの全体の概略構成を示す説明図。
【図１６】同認証システムを構成する課金サーバの機能ブロック図。
【図１７】同課金サーバのハードウェア構成を示すブロック図。
【図１８】実施形態２における電子チケットを購入するときの処理の一例を示すシーケンスフロー図。
【図１９】携帯電話機と課金サーバとの間で課金処理を行う場合の携帯電話機の機能ブロック図。
【図２０】同課金処理を行う場合のチケット発行処理のシーケンスフロー図。
【図２１】携帯電話通信網を介して受信した受信情報に基づいて表示パネルの画像を変化させることができる携帯電話機の機能ブロック図。
【図２２】受信情報に基づいて表示パネルの画像を変化させる場合の入場認証処理の一例を示すシーケンスフロー図。
【図２３】時刻情報に基づいて表示パネルの画像を変化させることができる携帯電話機の機能ブロック図。
【図２４】時刻情報に基づいて表示パネルの画像を変化させる場合の入場認証処理の一例を示すシーケンスフロー図。
【図２５】アプリケーションプログラムからの表示制御指令に基づいて表示パネルの画像を変化させることができる携帯電話機の機能ブロック図。
【図２６】同携帯電話機におけるソフトウェア構造の説明図。
【符号の説明】
【００７７】
１０  携帯電話通信網
１１  チケット管理サーバ
１２  インターネット
１３  入場装置
１４  課金サーバ
１５  ショッピング端末装置
２０  携帯電話機
３０ａ，３０ｂ  ケーシング
２０８  ケーシング画像表示パネル
２１１  情報記憶手段
２１２  近距離無線通信手段
２１３  決済処理手段
２１４  表示制御手段
２１５  無給電画像表示手段
【図１】
2006211223.tif 000003
【図２】
2006211223.tif 000004
【図３】
2006211223.tif 000005
【図４】
2006211223.tif 000006
【図５】
2006211223.tif 000007
【図６】
2006211223.tif 000008
【図７】
2006211223.tif 000009
【図８】
2006211223.tif 000010
【図９】
2006211223.tif 000011
【図１０】
2006211223.tif 000012
【図１１】
2006211223.tif 000013
【図１２】
2006211223.tif 000014
【図１３】
2006211223.tif 000015
【図１４】
2006211223.tif 000016
【図１５】
2006211223.tif 000017
【図１６】
2006211223.tif 000018
【図１７】
2006211223.tif 000019
【図１８】
2006211223.tif 000020
【図１９】
2006211223.tif 000021
【図２０】
2006211223.tif 000022
【図２１】
2006211223.tif 000023
【図２２】
2006211223.tif 000024
【図２３】
2006211223.tif 000025
【図２４】
2006211223.tif 000026
【図２５】
2006211223.tif 000027
【図２６】
2006211223.tif 000028